(57)【要約】【課題】ウエイトの調節が簡単に行え、このウエイトの螺着脱操作を繰り返し行なっても、その螺着脱操作に支障が生じないゴルフクラブ用グリップを提供する。【解決手段】ゴルフクラブのシャフトＳに装着する筒状のグリップ本体１と、このグリップ本体１の後端部に装着されたエンドキャップ２と、前記シャフトＳの後端部に設置される円筒スリーブ３と、この円筒スリーブ３に螺着脱自在としたウエイト４とからなり、前記エンドキャップ２は、円板状のヘッド部２１と、このヘッド部２１から垂設される円筒部２２からなり、ヘッド部２１には、前記ウエイト４となる金属ネジ４１のネジ頭４１ａの収納部２３を形成しており、前記シャフトＳの後端内部には、前記エンドキャップ２と一体とした円筒スリーブ３が設置されており、この円筒スリーブ３は、硬質樹脂からなるものとし、内周に前記金属ネジ４１のネジ部４１ｃを螺着脱自在としたネジ溝３１を設けた。【選択図】図３
0003217917.tif 000002
【実用新案登録請求の範囲】
【請求項１】
ゴルフクラブのシャフト（Ｓ）に装着する筒状のグリップ本体（１）と、このグリップ本体（１）の後端部に装着されたエンドキャップ（２）と、前記シャフト（Ｓ）の後端部に設置される円筒スリーブ（３）と、この円筒スリーブ（３）に螺着脱自在としたウエイト（４）とからなり、前記エンドキャップ（２）は、円板状のヘッド部（２１）と、このヘッド部（２１）から垂設される円筒部（２２）からなり、ヘッド部（２１）には、前記ウエイト（４）となる金属ネジ（４１）のネジ頭（４１ａ）の収納部（２３）を形成しており、前記シャフト（Ｓ）の後端内部には、前記エンドキャップ（２）と一体とした円筒スリーブ（３）が設置されており、この円筒スリーブ（３）は、硬質樹脂からなるものとし、内周に前記金属ネジ（４１）のネジ部（４１ｃ）を螺着脱自在としたネジ溝（３１）を設けたことを特徴とするゴルフクラブ用グリップ。
【請求項２】
ゴルフクラブのシャフト（Ｓ）に装着する筒状のグリップ本体（１）と、このグリップ本体（１）の後端部に装着されたエンドキャップ（２）と、前記シャフト（Ｓ）の後端部に設置される円筒スリーブ（３）と、この円筒スリーブ（３）に螺着脱自在としたウエイト（４）とからなり、前記エンドキャップ（２）は、円板状のヘッド部（２１）と、このヘッド部（２１）から垂設される円筒部（２２）からなり、ヘッド部（２１）には、前記ウエイト（４）となる金属ネジ（４１）のネジ頭（４１ａ）の収納部（２３）を形成しており、前記シャフト（Ｓ）の後端内部には、前記エンドキャップ（２）と別体とした円筒スリーブ（３）が設置されており、この円筒スリーブ（３）は、硬質樹脂からなるものとし、内周に前記金属ネジ（４１）のネジ部（４１ｃ）を螺着脱自在としたネジ溝（３１）を設けたことを特徴とするゴルフクラブ用グリップ。
【請求項３】
前記エンドキャップ（２）の円筒部（２２）と円筒スリーブ（３）の間に挿入溝（２４）を形成し、この挿入溝（２４）に前記シャフト（Ｓ）の後端部を挿入することにより、シャフト（Ｓ）の後端内部に円筒スリーブ（３）が設置されたことを特徴とする請求項１記載のゴルフクラブ用グリップ。
【請求項４】
前記シャフト（Ｓ）の後端内部に円筒スリーブ（３）を挿入し、この円筒スリーブ（３）の外面をシャフト（Ｓ）の後端部の内面に接着することにより、シャフト（Ｓ）の後端内部に円筒スリーブ（３）が設置されたことを特徴とする請求項２記載のゴルフクラブ用グリップ。
【考案の詳細な説明】
【技術分野】
【０００１】
この考案は、スイングバランスなどを調整するためのウエイト（錘）を設けたゴルフクラブ用グリップに関するものである。
【背景技術】
【０００２】
従来からゴルフクラブは、飛距離等の向上をはかるために、ヘッド重量を重くしたり、シャフトの長さを長くすることが試されていた。しかし、ゴルフクラブのヘッド重量を重くしたり、シャフトの長さを長くすることによって、クラブのスイングバランスが変わるので、そのスイングバランスが変わったクラブで、スイングをコントロールしてボールを打つことは困難である。
【０００３】
そこで、ゴルファー自身のスイングに合わせてバランスを調整するために、シャフトのグリップ寄りに鉛の板を貼ったり、グリップそのものを重くしたり、グリップにウエイトを取り付けたりしている。
【０００４】
従来のゴルフクラブにおいて、グリップにウエイトを取り付けたものとしては、特許文献１に開示されたウエイト付グリップ構造体が存在し、グリップに取り付けるウエイトとしては、非特許文献１に開示されたグリップ用ウエイトが存在する。
【０００５】
特許文献１には、ウエイト付グリップ構造体として三つの実施形態が開示されている。第一実施形態ものは、グリップ又はウエイトのうち一方側に設けられたネジ軸にバネ座金を装着し、このネジ軸を他方側に設けられたネジ部と螺合させることによりグリップとウエイトとを一体化するものとしている。第二実施形態ものは、グリップ及びウエイトのいずれか一方又は双方の端面に設けられた凸状連結部と凹状連結部とを嵌合させてなる連結構造を複数箇所で形成したものとしている。第三実施形態ものは、ウエイト接続部が、グリップの端部に設けられており、差込口を備え、弾性変形可能なものであり、ウエイトが、差込口に差し込み可能な軸状の差込部を備えたものしている。
【０００６】
非特許文献１には、金属製の円盤の中心に取付孔を設けたウエイトを複数枚用意しておき、これらの何枚かを重ね合わせ、これらの取付孔に小ネジを通して、この小ネジをグリップエンドに装着されたエンドキャップの穴に螺着することにより、グリップエンドにウエイトを取り付けるものとしている。
【先行技術文献】
【特許文献】
【０００７】
【特許文献１】特許第４５０７２６６号公報
【非特許文献１】ライト株式会社の２０１８年度版カタログの第９０ページに掲載の商品「バランスダウンＧー４３」
【考案の概要】
【考案が解決しようとする課題】
【０００８】
しかしながら、上記従来の特許文献１に開示されたウエイト付グリップ構造体では、第一実施形態ものは、グリップとウエイトの間にバネ座金を介在させるため、このバネ座金によってウエイトがゆるんでグリップから脱落するという不都合を生じ難いとしているが、このバネ座金を介在させてグリップとウエイトとをネジ止めするのが面倒であるという課題を有していた。さらに、特許文献１では、グリップを弾性変形可能な合成樹脂やゴムからなるものとしているため、ウエイトのネジ止めが堅固に行えなかったり、ネジの螺着脱操作を繰り返し行うと、グリップに形成したネジ溝が潰れてしまって、その螺着脱操作が行えなくなるという課題を有していた。
【０００９】
また、上記従来のウエイト付グリップ構造体の第二実施形態や第三実施形態のものは、グリップにウエイトを無理に嵌め込んだり、差し込むことにより、グリップからウエイトが外れないようにしている。したがって、グリップにウエイトを取り付ける場合には簡単に行えるが、ウエイトを交換する場合にはウエイトを取り外すのが困難であるという課題を有していた。
【００１０】
さらに、上記従来の非特許文献１に開示されたグリップ用ウエイトにおいても、グリップエンドに装着されたエンドキャップを弾性変形可能な合成樹脂やゴムからなるものとしているため、ウエイトのネジ止めが堅固に行えなかったり、小ねじの螺着脱操作を繰り返し行うと、エンドキャップの穴が大きくなりすぎたり、潰れたりして、その螺着脱操作が行えなくなるという課題を有していた。
【００１１】
そこで、この考案は、上記従来の課題を解決するものであり、ウエイトの調節が簡単に行え、このウエイトとなる金属ネジの螺着脱操作を繰り返し行なっても、その螺着脱操作に何の支障も生ずることのないゴルフクラブ用グリップを提供することを目的としてなされたものである。
【課題を解決するための手段】
【００１２】
そのため、この考案のゴルフクラブ用グリップは、ゴルフクラブのシャフトＳに装着する筒状のグリップ本体１と、このグリップ本体１の後端部に装着されたエンドキャップ２と、前記シャフトＳの後端部に設置される円筒スリーブ３と、この円筒スリーブ３に螺着脱自在としたウエイト４とからなり、前記エンドキャップ２は、円板状のヘッド部２１と、このヘッド部２１から垂設される円筒部２２からなり、ヘッド部２１には、前記ウエイト４となる金属ネジ４１のネジ頭４１ａの収納部２３を形成しており、前記シャフトＳの後端内部には、前記エンドキャップ２と一体とした円筒スリーブ３が設置されており、この円筒スリーブ３は、硬質樹脂からなるものとし、内周に前記金属ネジ４１のネジ部４１ｃを螺着脱自在としたネジ溝３１を設けたものとしている。
【００１３】
そして、この考案のゴルフクラブ用グリップは、ゴルフクラブのシャフトＳに装着する筒状のグリップ本体１と、このグリップ本体１の後端部に装着されたエンドキャップ２と、前記シャフトＳの後端部に設置される円筒スリーブ３と、この円筒スリーブ３に螺着脱自在としたウエイト４とからなり、前記エンドキャップ２は、円板状のヘッド部２１と、このヘッド部２１から垂設される円筒部２２からなり、ヘッド部２１には、前記ウエイト４となる金属ネジ４１のネジ頭４１ａの収納部２３を形成しており、前記シャフトＳの後端内部には、前記エンドキャップ２と別体とした円筒スリーブ３が設置されており、この円筒スリーブ３は、硬質樹脂からなるものとし、内周に前記金属ネジ４１のネジ部４１ｃを螺着脱自在としたネジ溝３１を設けたものとしている。
【００１４】
さらに、この考案のゴルフクラブ用グリップにおいて、前記エンドキャップ２の円筒部２２と円筒スリーブ３の間に挿入溝２４を形成し、この挿入溝２４に前記シャフトＳの後端部を挿入することにより、シャフトＳの後端内部に円筒スリーブ３が設置されたものとしている。
【００１５】
また、この考案のゴルフクラブ用グリップにおいて、前記シャフトＳの後端内部に円筒スリーブ３を挿入し、この円筒スリーブ３の外面をシャフトＳの後端部の内面に接着することにより、シャフトＳの後端内部に円筒スリーブ３が設置されたものとしている。
【考案の効果】
【００１６】
この考案のゴルフクラブ用グリップは、ウエイトを長さのことなる金属ネジに取り替えるだけで、ウエイトの調節が簡単に行えるものとなる。
【００１７】
さらに、この考案のゴルフクラブ用グリップは、ウエイトを調節するために、ウエイトとなる金属ネジの螺着脱操作を繰り返し行なっても、その螺着脱操作に何の支障も生ずることなく、長期の使用に耐えることができるものとなる。
【図面の簡単な説明】
【００１８】
【図１】この考案に係るゴルフクラブ用グリップの第一実施形態を示す断面図である。
【図２】図１に示すゴルフクラブ用グリップの要部拡大断面図である。
【図３】図１に示すゴルフクラブ用グリップの部分断面分解斜視図である。
【図４】この考案に係るゴルフクラブ用グリップの第二実施形態を示す断面図である。
【図５】図４に示すゴルフクラブ用グリップの要部拡大断面図である。
【図６】図４に示すゴルフクラブ用グリップの部分断面分解斜視図である。
【図７】この考案に係るゴルフクラブ用グリップに用いるウエイト（金属ネジ）の斜視図である。
【考案を実施するための形態】
【００１９】
以下、この考案のゴルフクラブ用グリップを実施するための形態を、図面に基づいて詳細に説明する。
【００２０】
この考案のゴルフクラブ用グリップは、図示したように、ゴルフクラブのシャフトＳに挿脱自在として装着する筒状のグリップ本体１と、このグリップ本体１の後端部に一体的に成形するなどして装着されたエンドキャップ２と、前記シャフトＳの後端部に設置される円筒スリーブ３と、この円筒スリーブ３に螺着脱自在としたウエイト４とからなる。
【００２１】
前記グリップ本体１は、天然ゴム、合成ゴム、軟質樹脂等のゴム弾性を有する素材によって筒状に形成されており、ゴルフクラブのシャフトＳにゴム弾性力をもって、その先端から挿脱自在として装着している。
【００２２】
前記エンドキャップ２は、円板状のヘッド部２１と、このヘッド部２１から垂設される円筒部２２からなり、ヘッド部２１には、前記ウエイト４となる金属ネジ４１のネジ頭４１ａの収納部２３を形成している。この収納部２３は、金属ネジ４１のネジ頭４１ａの直径に合わせた直径の円筒状凹部又は円筒状孔部としており、このネジ頭４１ａとの間に隙間が生じないようにしている。そのため、前記金属ネジ４１のネジ頭４１ａは、収納部２３に収納された状態ではエンドキャップ２の後端から飛び出すことなく、収納部２３との間に隙間も生じないので、エンドキャップ２後端の外観を損なわないものとなる。なお、前記金属ネジ４１のネジ頭４１ａは、平皿、丸皿、トラス、バインドなどの各種の形状にすることができ、このネジ頭４１ａに形成する窪み４１ｂも、マイナス、プラス、六角などの各種の形状にすることができる。
【００２３】
前記シャフトＳの後端内部には、図１〜３に示したものでは、前記エンドキャップ２と一体とした円筒スリーブ３が設置されており、図４〜６に示したものでは、前記エンドキャップ２と別体とした円筒スリーブ３が設置されている。この円筒スリーブ３は、硬質樹脂からなるものとし、内周に前記金属ネジ４１のネジ部４１ｃを螺着脱自在としたネジ溝３１を設けたものとしている。さらに、前記円筒スリーブ３は、後に述べるウエイト４となる金属ネジ４１のネジ部４１ｃの長さＬに応じて長くしたり短くしたりすることができる。前記硬質樹脂は、ＪＩＳ硬度５０以上、好ましくはＪＩＳ硬度５５以上６５未満としており、ポリエチレン、ポリスチレン、ポリプロピレン、ポリ塩化ビニル、ポリアミド等の熱可塑性樹脂や、メラミン樹脂、フェノール樹脂、アクリル樹脂、ＰＥＴ等の熱硬化性樹脂等などが挙げられる。なお、前記硬質樹脂としては、熱硬化性樹脂とするのが、切削、研削等の機械加工がし易く、円筒スリーブ３にネジ溝３１が設け易いものとなる。
【００２４】
図１〜３に示したように、前記円筒スリーブ３をエンドキャップ２と一体とした場合には、エンドキャップ２も硬質樹脂からなるものとして、円筒部２２と円筒スリーブ３の間に挿入溝２４を形成して、円筒スリーブ３を一体成形したものとしている。そして、前記挿入溝２４に前記シャフトＳの後端部を挿入することにより、シャフトＳの後端内部に円筒スリーブ３が設置されたものとしている。この場合、前記円筒スリーブ３は、下端部外周に４５〜７５度程度の面取り部３２を設けたものとすると、前記挿入溝２４の下端部が広がり、この挿入溝２４に前記シャフトＳの後端部が挿入し易くなる。さらに、この円筒スリーブ３の内面には、前記金属ネジ４1 のネジ部４１ｃのネジ溝３１を設けたものとしている。
【００２５】
また、図４〜６に示したように、前記円筒スリーブ３をエンドキャップ２と別体とした場合には、エンドキャップ２は硬質樹脂からなるものとしても、軟質樹脂からなるものとしてもよい。そして、前記シャフトＳの後端内部に円筒スリーブ３を挿入し、この円筒スリーブ３の外面をシャフトＳの後端部の内面に接着することにより、シャフトＳの後端内部に円筒スリーブ３が設置されたものとしている。さらに、この円筒スリーブ３の内面には、前記金属ネジ４１のネジ部４１ｃのネジ溝３１を設けたものとしている。
【００２６】
前記ウエイト４は、５〜２０ｇの重量を有するものとしており、図７に示したように、前記金属ネジ４１のネジ部４１ｃの長さＬを変えたものを各種用意しておき、これらを取り替えることにより、その重量を調節するものとしている。このウエイト４となる金属ネジ４１の素材としては、鉄、真鍮、ステンレス、アルミニウム、チタン等があるが、真鍮又はステンレスとするのが好ましい。鉄は安価であるが錆び易いので好ましくなく、アルミニウムは比重が小さいので好ましくなく、チタンは高価であるので好ましくない。
【００２７】
以上のように構成されたこの考案のゴルフクラブ用グリップをゴルフクラブのシャフトＳに装着するには、次のようにして行う。
【００２８】
先ず、この考案のゴルフクラブ用グリップにおいて、前記円筒スリーブ３をエンドキャップ２と一体とした場合には、図３に示した状態のように、シャフトＳの後端にグリップ本体１の先端を近付け、グリップ本体１の全体をシャフトＳの後端に挿入していき、シャフトＳの後端がエンドキャップ２の挿入溝２４に入り込むまで押し込めばよい。
【００２９】
また、この考案のゴルフクラブ用グリップにおいて、前記円筒スリーブ３をエンドキャップ２と別体とした場合には、シャフトＳの後端部に円筒スリーブ３を挿入し、この円筒スリーブ３の外面をシャフトＳの後端部の内面に接着しておいてから、図６に示した状態のように、シャフトＳの後端にグリップ本体１の先端を近付け、グリップ本体１の全体をシャフトＳの後端に挿入していき、シャフトＳの後端部外面がエンドキャップ２の円筒部２２の内面に接触するまで押し込めばよい。
【００３０】
そして、ゴルフクラブのウエイト調節を行うには、図７に示したような金属ネジ４１のネジ部４１ｃの長さＬを変えたものを、円筒スリーブ３のネジ溝３１に順番に螺着脱していき、使用者が試し打ちを行い、スイングバランスを確認し、使用者が所望するスイングバランスに合っていると感じたものにすればよい。
【００３１】
したがって、この考案のゴルフクラブ用グリップは、ウエイト４となる金属ネジ４１を取り替えるだけで、ウエイトの調節が簡単に行えるものとなる。
【００３２】
さらに、この考案のゴルフクラブ用グリップは、ウエイトを調節するために、ウエイト４となる金属ネジ４１の螺着脱操作を繰り返し行なっても、円筒スリーブ３は硬質樹脂からなるものとしているので、その螺着脱操作に何の支障も生ずることなく、長期の使用に耐えることができるものとなる。
【符号の説明】
【００３３】
１  グリップ本体
２  エンドキャップ
３  円筒スリーブ
４  ウエイト
２１  ヘッド部
２２  円筒部
２３  収納部
２４  挿入溝
３１  ネジ溝
４１  金属ネジ
４１ａ  ネジ頭
４１ｃ  ネジ部
Ｓ  シャフト
【図１】
0003217917.tif 000003
【図２】
0003217917.tif 000004
【図３】
0003217917.tif 000005
【図４】
0003217917.tif 000006
【図５】
0003217917.tif 000007
【図６】
0003217917.tif 000008
【図７】
0003217917.tif 000009